(57)【要約】  少なくとも第１セル内の第１キャリア及び第２セル内の第２キャリア上の信号を動作させるためのユーザ機器のマルチキャリア動作を実行するためのヌメロロジーのセットを判定するためのシステム及び方法が提供される。
2020506580.tif 000002
【特許請求の範囲】
【請求項１】
ワイヤレスデバイスにより実行される方法であって、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリアと前記第２キャリアとの間の関係の判定に応じて、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を含む方法。
【請求項２】
請求項１の方法であって、前記第１ヌメロロジー及び前記第２ヌメロロジーは、信号特性を定義する１つ以上の属性を含む、方法。
【請求項３】
請求項２の方法であって、前記１つ以上の属性は、サブキャリア間隔、シンボル期間、サイクリックプレフィクス長、時間スロット期間、フレーム期間、サブフレーム期間、送信時間インターバル期間、物理チャネル別サブキャリア数、及び帯域幅内物理チャネル数、のうちの少なくとも１つを含む、方法。
【請求項４】
請求項１〜３のいずれかの方法であって、前記第１キャリア及び前記第２キャリアが相異なる周波数帯域に属するという判定に従って、前記第１ヌメロロジー及び前記第２ヌメロロジーは相異なるヌメロロジーである、方法。
【請求項５】
請求項１〜４のいずれかの方法であって、前記第１キャリア及び前記第２キャリアが相異なる周波数帯域に属し、かつ前記第１キャリアの周波数と前記第２キャリアの周波数との間の差が閾値よりも大きいという判定に従って、前記第１ヌメロロジー及び前記第２ヌメロロジーは相異なるヌメロロジーである、方法。
【請求項６】
請求項１〜３のいずれかの方法であって、前記第１キャリア及び前記第２キャリアが相異なる周波数帯域に属し、かつ前記第１キャリアの周波数と前記第２キャリアの周波数との間の差が閾値以下であるという判定に従って、前記第１ヌメロロジー及び前記第２ヌメロロジーは同一のヌメロロジーである、方法。
【請求項７】
請求項１〜３のいずれかの方法であって、前記第１キャリア及び前記第２キャリアが同一の周波数帯域に属するという判定に従って、前記第１ヌメロロジー及び前記第２ヌメロロジーは同一のヌメロロジーである、方法。
【請求項８】
請求項１〜３のいずれかの方法であって、前記第１キャリアの周波数及び前記第２キャリアの周波数が隣接しておらず、かつ前記第１キャリアの周波数と前記第２キャリアの周波数との間のギャップが所与の閾値以下であるという判定に従って、前記第１ヌメロロジー及び前記第２ヌメロロジーは同一のヌメロロジーである、方法。
【請求項９】
請求項１〜３のいずれかの方法であって、前記第１キャリア及び前記第２キャリアが同一の周波数帯域に属し、かつ前記第１キャリアの周波数と前記第２キャリアの周波数との間のギャップが所与の閾値よりも大きいという判定に従って、前記第１ヌメロロジー及び前記第２ヌメロロジーは相異なるヌメロロジーである、方法。
【請求項１０】
請求項１〜９のいずれかの方法であって、前記第１キャリアのダウンリンクチャネル及びアップリンクチャネル上の信号を動作させるために相異なるヌメロロジーを使用すること、をさらに含む、方法。
【請求項１１】
請求項１〜１０のいずれかの方法であって、前記第１ヌメロロジー及び前記第２ヌメロロジーについて同一のヌメロロジーを使用する場合に、共通の送信機及び共通の受信機のうちの少なくとも一方を使用すること、をさらに含む、方法。
【請求項１２】
請求項１〜１０のいずれかの方法であって、前記第１ヌメロロジー及び前記第２ヌメロロジーについて相異なるヌメロロジーを使用する場合に、異なる送信機及び異なる受信機のうちの少なくとも一方を使用すること、をさらに含む、方法。
【請求項１３】
請求項１〜１２のいずれかの方法であって、ネットワークノードからマルチキャリア動作を実行せよというリクエストを受信すること、をさらに含む、方法。
【請求項１４】
請求項１〜１３のいずれかの方法であって、マルチキャリア動作を実行するために前記ワイヤレスデバイスによりサポートされる前記ヌメロロジーのセットに関連付けられる情報をネットワークノードへ送信すること、をさらに含む、方法。
【請求項１５】
プロセッサ及びメモリを含む回路を備えるワイヤレスデバイスであって、前記メモリは、前記プロセッサにより実行可能な命令群を収容し、それにより前記ワイヤレスデバイスは、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリアと前記第２キャリアとの間の関係の判定に応じて、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を行うように動作可能である、ワイヤレスデバイス。
【請求項１６】
請求項１５のワイヤレスデバイスであって、前記第１ヌメロロジー及び前記第２ヌメロロジーは、信号特性を定義する１つ以上の属性を含む、ワイヤレスデバイス。
【請求項１７】
請求項１６のワイヤレスデバイスであって、前記１つ以上の属性は、サブキャリア間隔、シンボル期間、サイクリックプレフィクス長、時間スロット期間、フレーム期間、サブフレーム期間、送信時間インターバル期間、物理チャネル別サブキャリア数、及び帯域幅内物理チャネル数、のうちの少なくとも１つを含む、ワイヤレスデバイス。
【請求項１８】
請求項１５〜１７のいずれかのワイヤレスデバイスであって、前記第１キャリア及び前記第２キャリアが相異なる周波数帯域に属するという判定に従って、前記第１ヌメロロジー及び前記第２ヌメロロジーは相異なるヌメロロジーである、ワイヤレスデバイス。
【請求項１９】
請求項１５〜１８のいずれかのワイヤレスデバイスであって、前記第１キャリア及び前記第２キャリアが相異なる周波数帯域に属し、かつ前記第１キャリアの周波数と前記第２キャリアの周波数との間の差が閾値よりも大きいという判定に従って、前記第１ヌメロロジー及び前記第２ヌメロロジーは相異なるヌメロロジーである、ワイヤレスデバイス。
【請求項２０】
請求項１５〜１７のいずれかのワイヤレスデバイスであって、前記第１キャリア及び前記第２キャリアが相異なる周波数帯域に属し、かつ前記第１キャリアの周波数と前記第２キャリアの周波数との間の差が閾値以下であるという判定に従って、前記第１ヌメロロジー及び前記第２ヌメロロジーは同一のヌメロロジーである、ワイヤレスデバイス。
【請求項２１】
請求項１５〜１７のいずれかのワイヤレスデバイスであって、前記第１キャリア及び前記第２キャリアが同一の周波数帯域に属するという判定に従って、前記第１ヌメロロジー及び前記第２ヌメロロジーは同一のヌメロロジーである、ワイヤレスデバイス。
【請求項２２】
請求項１５〜１７のいずれかのワイヤレスデバイスであって、前記第１キャリアの周波数及び前記第２キャリアの周波数が隣接しておらず、かつ前記第１キャリアの周波数と前記第２キャリアの周波数との間のギャップが所与の閾値以下であるという判定に従って、前記第１ヌメロロジー及び前記第２ヌメロロジーは同一のヌメロロジーである、ワイヤレスデバイス。
【請求項２３】
請求項１５〜１７のいずれかのワイヤレスデバイスであって、前記第１キャリア及び前記第２キャリアが同一の周波数帯域に属し、かつ前記第１キャリアの周波数と前記第２キャリアの周波数との間のギャップが所与の閾値よりも大きいという判定に従って、前記第１ヌメロロジー及び前記第２ヌメロロジーは相異なるヌメロロジーである、ワイヤレスデバイス。
【請求項２４】
請求項１５〜２３のいずれかのワイヤレスデバイスであって、前記第１キャリアのダウンリンクチャネル及びアップリンクチャネル上の信号を動作させるために相異なるヌメロロジーを使用する、ようにさらに動作可能である、ワイヤレスデバイス。
【請求項２５】
請求項１５〜２４のいずれかのワイヤレスデバイスであって、前記第１ヌメロロジー及び前記第２ヌメロロジーについて同一のヌメロロジーを使用する場合に、共通の送信機及び共通の受信機のうちの少なくとも一方を使用する、ようにさらに動作可能である、ワイヤレスデバイス。
【請求項２６】
請求項１５〜２４のいずれかのワイヤレスデバイスであって、前記第１ヌメロロジー及び前記第２ヌメロロジーについて相異なるヌメロロジーを使用する場合に、異なる送信機及び異なる受信機のうちの少なくとも一方を使用する、ようにさらに動作可能である、ワイヤレスデバイス。
【請求項２７】
請求項１５〜２６のいずれかのワイヤレスデバイスであって、ネットワークノードからマルチキャリア動作を実行せよというリクエストを受信する、ようにさらに動作可能である、ワイヤレスデバイス。
【請求項２８】
請求項１５〜２７のいずれかのワイヤレスデバイスであって、マルチキャリア動作を実行するために前記ワイヤレスデバイスによりサポートされる前記ヌメロロジーのセットに関連付けられる情報をネットワークノードへ送信する、ようにさらに動作可能である、ワイヤレスデバイス。
【請求項２９】
非一時的なコンピュータ読取可能な記憶媒体を含むコンピュータプログラムプロダクトであって、前記媒体内に具現化されたコンピュータ読取可能なプログラムコードを有し、前記プログラムコードは、ワイヤレスデバイスの処理回路により実行された場合に、前記ワイヤレスデバイスに、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリアと前記第２キャリアとの間の関係の判定に応じて、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を行わせる、コンピュータプログラムプロダクト。
【発明の詳細な説明】
【技術分野】
【０００１】
［関連出願への相互参照］
本出願は、２０１７年１月６日に提出された米国仮出願第６２／４４３，３６６号の利益を主張し、その内容の全体は参照によりここに取入れられる。
【０００２】
本開示は、一般に、ワイヤレス通信およびワイヤレス通信ネットワークに関する。
【０００３】
［導入］
新無線（ＮＲ）（５Ｇ又は次世代としても知られる）に向けてのアーキテクチャが３ＧＰＰといった標準化団体で議論されており、図１に一例としてのネットワークアーキテクチャが示されている。ｅＮＢ１０Ａ〜１０Ｂは、ＬＴＥ（Long  Term  Evolution）のｅＮｏｄｅＢを表し、ｇＮＢ１２Ａ〜１２Ｂは、ＮＲ基地局（ＢＳ）を表す。１つのＮＲ  ＢＳは、１つ以上の送信／受信ポイントに対応し得る。ノード間のリンクは、配備される可能性のある対応するインタフェースを示している。例えば、進化型パケットコア（ＥＰＣ）ノード１４とｅＮＢ１０Ａとの間のインタフェースは、ＬＴＥ  Ｓ１インタフェースであり、一方でＥＰＣノード１４とｇＮＢ１２Ａとの間のインタフェースは、Ｓ１と同様であり得る。ｅＮＢ１０ＡとｇＮＢ１２Ａとの間のインタフェースは、Ｘ２インタフェースと同様であり得る。ＮＲコアノード１６とｇＮＢ１２Ｂとの間のインタフェースは、ＮＧ１インタフェースであり得る。
【０００４】
図２は、コアネットワーク２０へＮＲ  ＢＳ３０Ａ〜３０Ｆ及びＬＴＥ  ｅＮＢ４０Ａ〜４０Ｃが接続するための多様な例示的な配備シナリオをさらに示している。当業者は、多数の配備のアプローチを検討し得ることを理解するであろう。
【０００５】
図２ａは、一例としての非集中型の配備を示している。図２ｂは、一例としての共設型の配備を示している。図２Ｃは、一例としての集中型の配備を示しており、ＮＲ  ＢＳ３２の上位レイヤが集中化され、ＮＲ  ＢＳ３４Ａ〜３４Ｃの下位レイヤが分散されている図２ｄは、一例としての共有型の配備を示しており、３つのコア事業者２０Ａ、２０Ｂ、２０ＣがＮＲ  ＢＳ３０Ｅ〜３０Ｆへ接続される。
【０００６】
直交周波数分割多重（ＯＦＤＭ）に基づいているＮＲでは、例えば信号の送信及び／又は受信といった動作のために複数のヌメロロジー（numerologies）をサポートすることができる。“ヌメロロジー”との用語は、フレーム期間、サブフレーム又は送信時間インターバル（ＴＴＩ）期間、スロット期間、ミニスロット期間、シンボル期間、サブキャリア間隔、物理チャネル（例：ＲＢ）別サブキャリア数、帯域幅内ＲＢ数などのうちの任意の１つ以上を特徴付け得る。
【０００７】
１５ｋＨｚ、３０ｋＨｚ、６０ｋＨｚ、１２０ｋＨｚなどのＮＲについてのサブキャリア間隔を導出するために、（スケーリングファクタ２Ｎ、Ｎ＝１，２，…に基づく）スケーリングアプローチが検討されている。この場合、そのヌメロロジー固有の時間リソースの期間（例えば、スロット、サブフレームなど）を、サブキャリア間隔に基づいてミリ秒（ｍｓ）で決定することができる。例えば、（２Ｎ×１５）ｋＨｚというサブキャリア間隔は、厳密に１／２Ｎ  ｍｓを与える。
【０００８】
図３は、キャリア間隔、スロット期間、シンボル期間、サイクリックプレフィクス（ＣＰ）長などの観点での、ＮＲ向けのヌメロロジー属性５０の例を示している。
【０００９】
マルチキャリア又はキャリアアグリゲーション（ＣＡ）動作において、ユーザ機器（ＵＥ）は、１つよりも多くのサービングセルとの間でデータを受信し及び／又は送信することができる。“キャリアアグリゲーション”との用語は、“マルチキャリアシステム”、“マルチセル動作”、“マルチキャリア動作”、“マルチキャリア”送信及び／又は受信としても互換可能に言及され得る。ＣＡにおいて、コンポーネントキャリア（ＣＣ）のうちの１つはプライマリコンポーネントキャリア（ＰＣＣ）であり、又は単にプライマリキャリア若しくはアンカーキャリアである。残りのキャリアは、セカンダリコンポーネントキャリア（ＳＣＣ）と呼ばれ、又は単にセカンダリキャリア若しくは補助キャリアと呼ばれる。サービングセルは、互換可能にプライマリセル（ＰＣｅｌｌ）又はプライマリサービングセル（ＰＳＣ）と呼ばれ得る。同様に、セカンダリサービングセルは、互換可能にセカンダリセル（ＳＣｅｌｌ）又はセカンダリサービングセル（ＳＳＣ）と呼ばれ得る。
【００１０】
デュアルコネクティビティ（ＤＣ）動作において、ＵＥは、マスタｅＮＢ（ＭｅＮＢ）及びセカンダリｅＮＢ（ＳｅＮＢ）と呼ばれる少なくとも２つのノードによりサービスされ得る。より具体的には、ＤＣにおいて、ＵＥは、マスタセルグループ（ＭＣＧ）及びセカンダリセルグループ（ＳＣＧ）と共に構成される。セルグループ（ＣＧ）は、それぞれＭｅＮＢ又はＳｅＮＢのいずれかに関連付けられるサービングセルのグループである。ＭＣＧは、ＰＣｅｌｌ及びオプションとして１つ以上のＳＣｅｌｌからなる、ＭｅＮＢに関連付けられるサービングセルのグループである。ＳＣＧは、ＰＳＣｅｌｌ（プライマリＳＣｅｌｌ）及びオプションとして１つ以上のＳＣｅｌｌからなる、ＳｅＮＢに関連付けられるサービングセルのグループである。
【００１１】
より一般的には、多重的な接続性（マルチコネクティビティともいう）（ＭＣ）動作において、ＵＥは、例えば、ＭｅＮＢ、ＳｅＮＢ１及びＳｅＮＢ２など、２つ以上のノードによりサービスされることができる。ＵＥは、ＭｅＮＢ及びＳｅＮＢの双方からＰＣＣで構成される。ＭｅＮＢ及びＳｅＮＢからのＰＣｅｌｌは、それぞれＰＣｅｌｌ及びＰＳＣｅｌｌと呼ばれる。ＰＣｅｌｌ及びＰＳＣｅｌｌは、典型的には、独立的に動作する。また、ＵＥは、ＭｅＮＢ及びＳｅＮＢの各々からの１つ以上のＳＣＣと共に構成される。ＭｅＮＢ及びＳｅＮＢによりサービスされる対応するセカンダリサービングセルは、ＳＣｅｌｌと呼ばれる。ＤＣ中のＵＥは、典型的には、ＭｅＮＢ及びＳｅＮＢとの接続の各々について別個のＴＸ／ＲＸを有する。これにより、ＭｅＮＢ及びＳｅＮＢが、それぞれ自己のＰＣｅｌｌ及びＰＳＣｅｌｌ上で独立して、無線リンクモニタリング（ＲＬＭ）、ＤＲＸサイクルなどといった１つ以上の手続と共にＵＥを構成することが可能となる。
【００１２】
ＤＣ又はＭＣ中に、ＬＴＥ動作及びＮＲ動作の双方に対応するＵＥは、１つ以上のＬＴＥサービングセル（例えば、ＰＣｅｌｌ）を含む少なくとも１つのＣＧと共に、及び１つ以上のＮＲサービングセル（例えば、ＰＳＣｅｌｌ）を含む少なくとも１つのＣＧと共に構成されることもできる。
【００１３】
マルチキャリアシステム（ＣＡ、ＤＣ又はＭＣ）は、ライセンス済み及び／又は未ライセンスのスペクトル内若しくは周波数帯域内の複数のキャリアに関与し得る。
【００１４】
ＮＲでは、ＵＥとネットワークノードとの間、又はデバイスツーデバイス（Ｄ２Ｄ）動作が可能なＵＥの任意のペアの間で、動作信号のために相異なるヌメロロジー（例えば、サブキャリア間隔）を使用することができる。それら複数のヌメロロジーのサポートは、デバイスの複雑さ、処理及びコストをもたらし得る。複雑さは、上で議論したようなマルチキャリア動作をサポートするデバイスにとって一層増加するかもしれない。
【発明の概要】
【００１５】
従来技術の少なくとも１つの不利を軽減し又は緩和することが、本開示の目的である。
【００１６】
少なくとも第１キャリアの第１セル及び第２キャリアの第２セルにおけるマルチキャリア動作を実行するためのヌメロロジーのセットを判定するためのシステム及び方法が提供される。
【００１７】
本開示の第１の観点では、ワイヤレスデバイスにより実行される方法が提供される。当該方法は、マルチキャリア動作を実行するために前記ワイヤレスデバイスによりサポートされるヌメロロジーのセットを判定すること、を含む。前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む。前記第１キャリアと前記第２キャリアとの間の関係の判定に応じて、前記ワイヤレスデバイスは、前記第１セル内の前記第１キャリア上の前記信号を動作させるために前記第１ヌメロロジーを、前記第２セル内の前記第２キャリア上の前記信号を動作させるために前記第２ヌメロロジーを使用する。
【００１８】
本開示の他の観点では、プロセッサ及びメモリを含む回路を備えるワイヤレスデバイスが提供され、前記メモリは、前記プロセッサにより実行可能な命令群を収容し、それにより前記ワイヤレスデバイスは、マルチキャリア動作を実行するために前記ワイヤレスデバイスによりサポートされるヌメロロジーのセットを判定する、ように動作可能である。前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む。前記第１キャリアと前記第２キャリアとの間の関係の判定に応じて、前記ワイヤレスデバイスは、前記第１セル内の前記第１キャリア上の前記信号を動作させるために前記第１ヌメロロジーを、前記第２セル内の前記第２キャリア上の前記信号を動作させるために前記第２ヌメロロジーを使用する。
【００１９】
いくつかの実施形態において、前記ヌメロロジーは、信号特性を定義する１つ以上の属性を含む。当該属性は、サブキャリア間隔、シンボル期間、サイクリックプレフィクス長、時間スロット期間、フレーム期間、サブフレーム期間、送信時間インターバル期間、物理チャネル別サブキャリア数、及び帯域幅内物理チャネル数、のうちの少なくとも１つを含み得る。
【００２０】
いくつかの実施形態において、前記第１キャリア及び前記第２キャリアが相異なる周波数帯域に属するという判定に従って、前記第１ヌメロロジー及び前記第２ヌメロロジーは相異なるヌメロロジーである（例えば、第１セル内の第１キャリア上の信号を動作させるため、及び第２セル内の第２キャリア上の信号を動作させるために、相異なるヌメロロジーが使用される）。
【００２１】
いくつかの実施形態において、前記第１キャリア及び前記第２キャリアが相異なる周波数帯域に属し、かつ前記第１キャリアの周波数と前記第２キャリアの周波数との間の差が閾値よりも大きいという判定に従って、前記第１ヌメロロジー及び前記第２ヌメロロジーは相異なるヌメロロジーである。
【００２２】
いくつかの実施形態において、前記第１キャリア及び前記第２キャリアが相異なる周波数帯域に属し、かつ前記第１キャリアの周波数と前記第２キャリアの周波数との間の差が閾値以下であるという判定に従って、前記第１ヌメロロジー及び前記第２ヌメロロジーは同一のヌメロロジーである（例えば、第１セル内の第１キャリア上の信号を動作させるため、及び第２セル内の第２キャリア上の信号を動作させるために、同一のヌメロロジーが使用される）。
【００２３】
いくつかの実施形態において、前記第１キャリア及び前記第２キャリアが同一の周波数帯域に属するという判定に従って、前記第１ヌメロロジー及び前記第２ヌメロロジーは同一のヌメロロジーである。
【００２４】
いくつかの実施形態において、前記第１キャリアの周波数及び前記第２キャリアの周波数が隣接しておらず、かつ前記第１キャリアの周波数と前記第２キャリアの周波数との間のギャップが所与の閾値以下であるという判定に従って、前記第１ヌメロロジー及び前記第２ヌメロロジーは同一のヌメロロジーである。
【００２５】
いくつかの実施形態において、前記第１キャリア及び前記第２キャリアが同一の周波数帯域に属し、かつ前記第１キャリアの周波数と前記第２キャリアの周波数との間のギャップが所与の閾値よりも大きいという判定に従って、前記第１ヌメロロジー及び前記第２ヌメロロジーは相異なるヌメロロジーである。
【００２６】
いくつかの実施形態において、前記第１キャリアのダウンリンクチャネル及びアップリンクチャネル上の信号を動作させるために、相異なるヌメロロジーが使用され得る。いくつかの実施形態において、前記第１ヌメロロジー及び前記第２ヌメロロジーについて同一のヌメロロジーを使用する際に、共通の送信機及び／又は共通の受信機が使用され得る。いくつかの実施形態において、前記第１ヌメロロジー及び前記第２ヌメロロジーについて相異なるヌメロロジーを使用する際に、異なる送信機及び／又は異なる受信機が使用され得る。
【００２７】
いくつかの実施形態において、前記ワイヤレスデバイスは、ネットワークノードからマルチキャリア動作を実行せよというリクエストを受信し得る。前記ワイヤレスデバイスは、さらに、マルチキャリア動作を実行するために前記ワイヤレスデバイスによりサポートされる前記ヌメロロジーのセットに関連付けられる情報をネットワークノードへ送信し得る。
【００２８】
ここで説明される多様な観点及び実施形態を、代替的に、随意的に及び／又は互いに追加的に組み合わせることができる。
【００２９】
添付図面と併せて具体的な実施形態の以下の説明を考察すれば、本開示の他の観点及び特徴が当業者にとって明らかとなるであろう。
【図面の簡単な説明】
【００３０】
本開示の実施形態が、次の添付図面を参照しながら、単に例示に過ぎないやり方で以下に説明されるであろう：
【００３１】
【図１】例示的なＮＲのアーキテクチャを示している。
【図２】ＮＲの配備の例を示している。
【図３】ＮＲ向けの例示的なヌメロロジーの構成を示している。
【図４】例示的なワイヤレスネットワークを示している。
【図５】ワイヤレスデバイスにおいて実行され得る方法を示すフローチャートである。
【図６】ネットワークノードにおいて実行され得る方法を示すフローチャートである。
【図７】マルチキャリア動作を実行するためのヌメロロジーのセットを判定するための方法を示すフローチャートである。
【図８】例示的なワイヤレスデバイスのブロック図である。
【図９】例示的なネットワークノードのブロック図である。
【図１０】モジュール群を伴う例示的なワイヤレスデバイスのブロック図である。
【図１１】モジュール群を伴う例示的なネットワークノードのブロック図である。
【発明を実施するための形態】
【００３２】
以下に説示する実施形態は、当業者がそれら実施形態を実践することを可能にする情報を表現している。添付図面の図を踏まえて以下の説明を読めば、当業者は、本説明の概念を理解し、及びここで具体的には扱われていないそれら概念の応用を認識するであろう。それら概念及び応用は本説明のスコープの範囲内に入ることが理解されるべきである。
【００３３】
以下の説明では、多くの具体的な詳細が説示される。しかしながら、実施形態がそれら具体的な詳細が無くとも実践され得ることが理解されるであろう。他の例において、よく知られた回路、構造及び技法は、その説明の理解を曖昧にしないために詳細には示されていない。当業者は、包含される説明によって、過度な実験をせずとも適切な機能性を実装することができるであろう。
【００３４】
本明細書における、“１つの実施形態”、“一実施形態”、“例示的な実施形態”などへの言及は、説明される実施形態が特定の特徴、構造、又は特性を含み得るものの、あらゆる実施形態が当該特定の特徴、構造、又は特性を含むわけでは必ずしもないかもしれないことを示す。そのうえ、そうしたフレーズは、必ずしも同じ実施形態を指しているわけではない。さらに、一実施形態との関係において特定の特徴、構造、又は特性が説明されている場合、明示的に記載されているか否かに関わらず、他の実施形態との関係においてそうした特徴、構造、又は特性を実装することは、当業者の知識の範囲内であることが思量される。
【００３５】
いくつかの実施形態において、非限定的な用語である“ネットワークノード”が使用されており、ＵＥと及び／又はセルラ、モバイル若しくはワイヤレス通信システム内の他のネットワークノードと通信することのできる任意のタイプの無線アクセスノード（若しくは無線ネットワークノード）又は任意のネットワークノードに相当し得る。ネットワークノードの例は、上述した任意の無線ネットワークノード、ＮｏｄｅＢ、ＭｅＮＢ、ＳｅＮＢ、ＭＣＧ若しくはＳＣＧに属するネットワークノード、基地局（ＢＳ）、ＭＳＲ  ＢＳといったマルチ標準無線（ＭＳＲ）無線アクセスノード、ｅＮｏｄｅＢ、ネットワークコントローラ、無線ネットワークコントローラ（ＲＮＣ）、基地局コントローラ（ＢＳＣ）、リレー、リレーを制御するドナーノード、基地送受信局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノード（例えば、ＭＳＣ、ＭＭＥなど）、Ｏ＆Ｍ、ＯＳＳ、自己組織化ネットワーク（ＳＯＮ）、測位ノード（例えば、Ｅ−ＳＭＬＣ）、ＭＤＴ、テスト機器などである。ネットワークノードの例示的な実施形態は、図９に関して以下でより詳細に説明される。
【００３６】
いくつかの実施形態において、非限定的な用語である“ユーザ機器（ＵＥ）”が使用されており、ネットワークノードと及び／又はセルラ、モバイル若しくはワイヤレス通信システム内の他のＵＥと通信することのできる任意のタイプのワイヤレスデバイスへの言及であり得る。ＵＥの例は、ターゲットデバイス、デバイスツーデバイス（Ｄ２Ｄ）ＵＥ、マシンタイプＵＥ若しくはマシンツーマシン（Ｍ２Ｍ）通信可能なＵＥ、ＰＤＡ（personal  digital  assistant）、タブレット、モバイル端末、スマートフォン、ＬＥＥ（laptop  embedded  equipped）、ＬＭＥ（laptop  mounted  equipment）、ＵＳＢドングル、ＰｒｏＳｅ  ＵＥ、Ｖ２Ｖ  ＵＥ、Ｖ２Ｘ  ＵＥ、ＭＴＣ  ＵＥ、ＦｅＭＴＣ  ＵＥ、ＵＥ  Ｃａｔ  ０、ＵＥ  Ｃａｔ  Ｍ１、狭帯域ＩｏＴ（ＮＢ−ＩｏＴ）ＵＥ、ＵＥ  Ｃａｔ  ＮＢ１などである。ＵＥの例示的な実施形態は、図８に関して以下でより詳細に説明される。
【００３７】
いくつかの実施形態において、“無線アクセス技術（ＲＡＴ）”との用語は、例えば、ＵＴＲＡ、Ｅ−ＵＴＲＡ、狭帯域ＩｏＴ（narrow  band  internet  of  things）（ＮＢ−ＩｏＴ）、ＷｉＦｉ、Ｂｌｕｅｔｏｏｔｈ、次世代ＲＡＴ（ＮＲ）、４Ｇ、５Ｇなどといった、任意のＲＡＴへの言及である。第１ノード及び第２ノードのいずれも、単一の又は複数のＲＡＴをサポート可能であってよい。
【００３８】
ここで使用される“無線ノード”との用語は、ＵＥ又はネットワークノードを表すために使用され得る。
【００３９】
いくつかの実施形態において、ＵＥは、ＤＬ方向及びＵＬ方向のうちの少なくとも１つにおける２つ以上のキャリアのアグリゲーションを示唆するキャリアアグリゲーション（ＣＡ）で動作するように構成され得る。ＣＡでは、ＵＥは、複数のサービングセルを有することができ、ここでの“サービング”との用語は、ＵＥが対応するサービングセルと共に構成され、例えばＰＣｅｌｌ又はＳＣｅｌｌのうちのいずれかである当該サービングセル上でネットワークノードとの間でデータを受信し及び／又は送信し得ることを意味する。データは、物理チャネルを介して送受信され、例えばＤＬではＰＤＳＣＨ、ＵＬではＰＵＳＣＨなどである。コンポーネントキャリア（ＣＣ）は、互換可能にキャリア又は統合キャリアとも呼ばれ、ＵＥにおいて、ＰＣＣ又はＳＣＣが、ネットワークノードにより上位レイヤシグナリングを用いて、例えばＵＥへＲＣＣ構成メッセージを送信することにより構成される。構成されたＣＣは、当該構成されたＣＣのサービングセル（例えば、ＰＣｅｌｌ、ＰＳＣｅｌｌ、ＳＣｅｌｌなど）においてＵＥへサービスするためにネットワークノードにより使用される。構成されたＣＣは、ＣＣ上で動作するセル、例えばＰＣｅｌｌ、ＳＣｅｌｌ、又はＰＳＣｅｌｌ及び隣接セルについて１回以上の無線測定（例えば、ＲＳＲＰ、ＲＳＲＱなど）を実行するために、ＵＥによっても使用される。
【００４０】
いくつかの実施形態において、ＵＥは、デュアルコネクティビティ（ＤＣ）又はマルチコネクティビティ（ＭＣ）で動作することもできる。マルチキャリア又はマルチキャリア動作は、ＣＡ、ＤＣ、ＭＣなどのうちの任意のものであり得る。“マルチキャリア”との用語は、互換可能に帯域コンビネーションとも呼ばれ得る。
【００４１】
ここで使用される“無線測定”との用語は、無線信号について実行される任意の測定への言及であり得る。無線測定は、絶対的であっても相対的であってもよい。無線測定は、例えば、イントラ周波数、インター周波数、ＣＡなどであり得る。無線測定は、単方向（例えば、ＤＬ、ＵＬ若しくはサイドリンクのいずれかの方向）又は双方向（例えば、ＲＴＴ、Ｒｘ−ＴＸなど）であり得る。無線測定のいくつかの例：タイミング測定（例えば、伝播遅延、ＴＯＡ、タイミングアドバンス、ＲＴＴ、ＲＳＴＤ、Ｒｘ−Ｔｘなど）、角度測定（例えば、到来角度）、電力ベースの測定若しくはチャネル品質測定（例えば、パスロス、受信信号電力、ＲＳＲＰ、受信信号品質、ＲＳＲＱ、ＳＩＮＲ、ＳＮＲ、干渉電力、干渉及び雑音の合計、ＲＳＳＩ、雑音電力、ＣＳＩ、ＣＱＩ、ＰＭＩなど）、セル検出若しくはセル識別、ＲＬＭ、又はＳＩ読取りなど。その測定は、例えばＲＳＴＤ若しくは相対的ＲＳＲＰのように各方向において１つ以上のリンクについて行われてもよく、又は同一の（共有される）セルの相異なるＴＰからの信号に基づいて行われてもよい。
【００４２】
ここで使用される“シグナリング”との用語は、（例えば、ＲＣＣなどを介する）上位レイヤシグナリング、（例えば、物理制御チャネル若しくはブロードキャストチャネルを介する）下位レイヤシグナリング、又はそれらの組合せ、のうちの任意のものを含み得る。シグナリングは、暗黙的であっても明示的であってもよい。シグナリングは、さらに、ユニキャスト、マルチキャスト又はブロードキャストであってよい。また、シグナリングは、他のノードへ直接なされてもよく、又は第３ノードを介してなされてもよい。
【００４３】
ここで使用される“時間リソース”との用語は、時間の長さの観点で表現されるいかなる種類の物理リソース又は無線リソースに相当してもよい。時間リソースの例は、シンボル、時間スロット、サブフレーム、無線フレーム、ＴＴＩ、インターリービング時間などを含む。“周波数リソース”との用語は、チャネル帯域幅の範囲内のサブ帯域、サブキャリア、キャリア周波数、周波数帯域への言及であり得る。“時間及び周波数リソース”との用語は、時間リソースと周波数リソースとの任意の組合せへの言及であり得る。
【００４４】
ここで使用される“ヌメロロジー”との用語は、信号特性を定義する任意の１つ以上の属性への言及であり得る。そうした属性の例は、サブキャリア間隔、シンボル期間、ＣＰ期間（ＣＰ長ともいう）、時間スロット期間、サブフレーム期間、物理チャネル別サブキャリア数、及び帯域幅内物理チャネル数などである。ここで使用される物理チャネルは、任意の時間-周波数無線リソースへの言及である。物理チャネルの例は、リソースブロック（ＲＢ）、物理ＲＢ（ＰＲＢ）、仮想ＲＢ（ＶＲＢ）などである。
【００４５】
ここで使用される“ヌメロロジーのセット”との用語は、少なくとも２つのキャリア周波数に関与するＵＥのマルチキャリア動作のために使用され得る少なくとも２つのヌメロロジーの任意の組合せへの言及であり得る。“ヌメロロジーのセット”との用語は、互換可能に、ヌメロロジーセット、ヌメロロジーコンビネーションセット（ＮＣＳ）、マルチキャリアヌメロロジーコンビネーションセットなどとしても言及され得る。
【００４６】
ここで使用される“サブキャリアのセット”との用語は、少なくとも２つのキャリア周波数に関与するＵＥのマルチキャリア動作のために使用され得る少なくとも２つのサブキャリアの任意の組合せへの言及であり得る。“サブキャリアのセット”との用語は、互換可能に、サブキャリアセット、サブキャリアコンビネーションセット（ＳＣＳ）、マルチキャリアサブキャリアコンビネーションセットなどとしても言及され得る。ＳＣＳは、ＮＣＳの１つの例である。
【００４７】
ＵＥの動作のいくつかの例は、以下を含む：ＵＥ無線測定（上の用語“無線測定”を参照）、送信中のＵＥとの双方向測定、セル検出若しくは識別、ビーム検出若しくは識別、システム情報読取り、チャネル受信及び復号、１つ以上の無線信号及び／若しくはチャネルの少なくとも受信が関与する任意のＵＥ動作若しくはアクティビティ、セル変更若しくは（再）選択、ビーム変更若しくは（再）選択、モビリティ関連の動作、測定関連の動作、無線リソース管理（ＲＲＭ）関連の動作、測位手続、タイミング関連の手続、タイミング調整関連の手続、ＵＥロケーション追跡手続、時間追跡関連の手続、同期関連の手続、ＭＤＴ類の手続、測定結果収集関連の手続、ＣＡ関連の手続、サービングセルのアクティブ化／非アクティブ化、ＣＣの構成／構成解除、など。
【００４８】
本開示の実施形態は、相異なるヌメロロジーに関与するマルチキャリア動作を対象とする。いくつかの実施形態は、ワイヤレスデバイスが当該ワイヤレスデバイスの無線アーキテクチャに関連し又は関連付けられる複数のヌメロロジーをサポートすることを可能にし得る。いくつかの実施形態は、マルチキャリア動作のためにワイヤレスデバイスによりサポートされる異なるヌメロロジーのセットをネットワークノードが認識することを可能にし得る。これは、ネットワークノードがＮＲ又は他のネットワークにおいてマルチキャリア動作のためにワイヤレスデバイスを適切に構成することを可能にし得る。
【００４９】
図４は、ワイヤレス通信のために使用され得るワイヤレスネットワーク１００の一例を示している。ワイヤレスネットワーク１００は、ＵＥ１１０Ａ〜１１０Ｂのようなワイヤレスデバイスと、相互接続ネットワーク１２５を介して１つ以上のコアネットワークノード１３０へ接続される無線アクセスノード１２０Ａ〜１２０Ｂのようなネットワークノード（例えば、ｅＮＢ、ｇＮＢなど）とを含む。ネットワーク１００は、任意の適した配備シナリオを使用し得る。カバレッジエリア１１４内のＵＥ１１０は、各々ワイヤレスインタフェース上で無線アクセスノード１２０と直接的に通信可能であり得る。いくつかの実施形態では、複数のＵＥ１１０が、Ｄ２Ｄ通信を介して互いに通信可能でもあり得る。
【００５０】
一例として、ＵＥ１１０Ａは、ワイヤレスインタフェース上で無線アクセスノード１２０Ａと通信し得る。即ち、ＵＥ１１０Ａは、無線アクセスノード１２０Ａとの間でワイヤレス信号を送信し及び／又は受信し得る。ワイヤレス信号は、音声トラフィック、データトラフィック、制御信号及び／又は任意の他の適した情報を含み得る。いくつかの実施形態において、無線アクセスノード１２０に関連付けられるワイヤレス信号カバレッジ１１５のエリアは、セルとして言及され得る。
【００５１】
相互接続ネットワーク１２５は、音声、映像、信号、データ、メッセージなどを送信可能な任意の相互接続システム、又は前述したものの任意の組合せへの言及であり得る。相互接続ネットワーク１２５は、ＰＳＴＮ（public  switched  telephone  network）、パブリック若しくはプライベートデータネットワーク、ＬＡＮ（local  area  network）、ＭＡＮ（metropolitan  area  network）、ＷＡＮ（wide  area  network）、ローカル、リジョナル、若しくはインターネットなどのグローバルな通信若しくはコンピュータネットワーク、有線回線若しくはワイヤレスネットワーク、企業のイントラネット、又は、それらの組合せを含む任意の他の適した通信リンク、の全て若しくは一部を含み得る。
【００５２】
いくつかの実施形態において、コアネットワークノード１３０は、通信セッションの確立及び他の多様なＵＥ１１０向けの機能性を管理し得る。コアネットワークノード１３０の例は、ＭＳＣ（mobile  switching  center）、ＭＭＥ、ＳＧＷ（serving  gateway）、ＰＧＷ（packet  data  network  gateway）、Ｏ＆Ｍ（operation  and  maintenance）、ＯＳＳ（operations  support  system）、ＳＯＮ、測位ノード（例えば、Ｅ−ＳＭＬＣ（Enhanced  Serving  Mobile  Location  Center））、ＭＤＴノードなどを含み得る。ＵＥ１１０は、ＮＡＳ（non-access  stratum）レイヤを用いて、コアネットワークノードとの間で、ある信号を交換し得る。ＮＡＳ（non-access  stratum）シグナリングにおいて、ＵＥ１１０とコアネットワークノード１３０との間の信号は、無線アクセスネットワークを透過的に通過し得る。いくつかの実施形態において、無線アクセスノード１２０は、ノード間インタフェース上で１つ以上のネットワークノードとインタフェースし得る。
【００５３】
図５は、ＵＥ１１０といったワイヤレスデバイスにより実行され得る方法を示すフローチャートである。その方法は、以下を含み得る：
【００５４】
ステップ２００（オプション）：マルチキャリア動作のためにＵＥによりサポートされるヌメロロジーのセットに関する情報を送信せよという他のノードからのリクエストを受信。
【００５５】
ステップ２１０：それぞれマルチキャリア動作を行うために第１キャリア（Ｆ１）の第１セル（ｃｅｌｌ１）及び第２キャリア（Ｆ２）の第２セル（ｃｅｌｌ２）において信号を動作させるために使用される第１ヌメロロジー（Ｎ１）及び第２ヌメロロジー（Ｎ２）という、少なくとも２つのヌメロロジーを含むヌメロロジーの少なくとも第１セット（Ｓ１）を判定。
【００５６】
ステップ２２０：１つ以上の動作上のタスクのためにヌメロロジーの判定した上記セット（Ｓ１）を使用（例えば、他のノードへ結果を報告、マルチキャリア動作のためにＳ１を使用、送受信機構成を適応化、など）。
【００５７】
ステップ２３０（オプション）：ヌメロロジーの判定した上記セット（Ｓ１）に基づいて、マルチキャリア動作を実行せよというリクエストをネットワークノードから受信。
【００５８】
上記ステップのうちの１つ以上を同時に及び／又は異なる順序で実行し得ることが理解されるであろう。また、破線で示したステップはオプションであり、いくつかの実施形態では省略されてもよい。次に、これらステップについてより詳細に説明する。
【００５９】
ステップ２００
いくつかの実施形態において、本ステップは、ＵＥにとってオプション的である。ステップ２００において、ＵＥは、少なくとも２つのキャリア周波数に関与するマルチキャリア動作を行うためにＵＥによりサポートされるヌメロロジーの少なくとも１つのセットに関する情報を送信せよというリクエストを他のノードから受信し得る。ＵＥは、さらに、１つ以上のマルチキャリア動作のためにＵＥによりサポートされるヌメロロジーの複数のセットに関する情報の送信を求めるリクエストを受信してもよい。受信されるリクエストは、ＵＥにより当該ノードへシグナリングされるべき対象の、ＵＥによりサポートされるヌメロロジーのセットについてのキャリア周波数に関連する情報（例えば、ＡＲＦＣＮといった周波数識別子、帯域など）をさらに含んでもよい。
【００６０】
ＵＥは、他のノードから、上記リクエストを上位レイヤシグナリング（例えば、ＲＲＣ、ＮＡＳシグナリングなど）を介して又は下位レイヤシグナリング（例えば、ＭＡＣ、Ｌ１メッセージなど）を介して受信し得る。上記リクエストは、ＵＥにより周期的に受信されてもよく、又は非周期的に（例えば、マルチキャリアなどのある手続が行われ／構成される際に）受信されてもよい。
【００６１】
他のノードの例は、ネットワークノード及び／又は（例えば、Ｄ２Ｄ動作が可能な）他のＵＥである。ネットワークノードは、ＵＥのサービングネットワークノード、コアネットワークノードなどであり得る。
【００６２】
ステップ２１０
ステップ２１０において、ＵＥは、第１キャリア周波数（Ｆ１）及び第２キャリア周波数（Ｆ２）という少なくとも２つのキャリア周波数に関与するマルチキャリア動作を行うためにＵＥにより使用され得る、ここでヌメロロジーの第１セット（Ｓ１）というヌメロロジーの少なくとも１つのセットに関連する情報を判定する。ＵＥは、さらに、少なくとも２つのキャリアに関与するマルチキャリア動作を行うためにＵＥによりサポートされるヌメロロジーの２つ以上のセット（例えば、Ｓ１、Ｓ２、Ｓ３、…、Ｓｍ）を判定してもよい。したがって、ＵＥは、ＵＥのマルチキャリア動作のためにＵＥによりサポートされる２つより多くのキャリア（例えば、Ｆ１、Ｆ２、Ｆ３、…、Ｆｎ）についてのヌメロロジーの１つ以上のセットをさらに判定し得る。キャリアＦ１、Ｆ２、…、Ｆｎは、ＵＥのサービングキャリア（例えば、ＰＣＣ、ＳＣＣ、ＰＳＣなど）としても言及され得る。
【００６３】
ヌメロロジーのセットＳ１は、Ｆ１に属し又はＦ１上で動作する第１セル（ｃｅｌｌ１）において第１信号を動作させるために使用される第１ヌメロロジー（Ｎ１）及びＦ２に属し又はＦ２上で動作する第２セル（ｃｅｌｌ２）において第２信号を動作させるために使用される第２ヌメロロジー（Ｎ２）という少なくとも２つのヌメロロジーを含む。
【００６４】
１つの例において、双方のセルにおいて同一のヌメロロジー（即ち、Ｎ１＝Ｎ２）を使用することができる。
【００６５】
他の例において、同一のセルのアップリンク及びダウンリンクにおいてＵＥにより同一のヌメロロジーを使用することができる。
【００６６】
他の例において、同一のセルのアップリンク（ＵＬ）及びダウンリンク（ＤＬ）においてＵＥにより相異なるヌメロロジーが使用される。このケースにおいて、ＵＥは、ｃｅｌｌ１及びｃｅｌｌ２においてそれぞれ使用される、第１アップリンク信号（ＵＬＳ１）及び第２アップリンク信号（ＵＬＳ２）を動作させるために使用される第３ヌメロロジー（Ｎ１２）及び第４ヌメロロジー（Ｎ２２）に関連する情報を判定してもよい。１つの例において、Ｎ１２及びＮ２２は異なる。また別の例において、Ｎ１２及びＮ２２は同一であり得る（即ち、Ｎ１２＝Ｎ２２）。
【００６７】
マルチキャリア動作を行うために、ＵＥにより同一のセルのＤＬ及びＵＬにおいて同一の又は相異なるキャリア周波数を使用することができる。例えば、１つの例において、ｃｅｌｌ１のＤＬ及びＵＬの双方が同一のキャリア周波数（即ち、Ｆ１）を使用することができる。他の例において、ｃｅｌｌ２のＤＬ及びＵＬの双方が同一のキャリア周波数（即ち、F２）を使用することができる。他の例においてｃｅｌｌ１のＤＬ及びＵＬにおいて相異なるキャリア周波数を使用することができる（即ち、ｃｅｌｌ１のＤＬ及びＵＬにおいてそれぞれＦ１＿ｄｌ及びＦ１＿ｕｌが使用される）。他の例においてｃｅｌｌ２のＤＬ及びＵＬにおいて相異なるキャリア周波数を使用することができる（即ち、ｃｅｌｌ２のＤＬ及びＵＬにおいてそれぞれＦ２＿ｄｌ及びＦ２＿ｕｌが使用される）。マルチキャリア動作のためにキャリアの任意の組合せを使用することができる。
【００６８】
いくつかの実施形態において、キャリアＦ１及びＦ２は、同一の周波数帯域に属することができ（イントラ帯域ともいう）、又は、相異なる周波数帯域に属することができる（インター帯域キャリアともいう）。前者のケースでは、Ｆ１及びＦ２は隣接していてもよく（イントラ帯域の連続キャリア）、又は隣接していなくてもよい（イントラ帯域の非連続キャリア）。
【００６９】
いくつかの実施形態において、ｃｅｌｌ１及びｃｅｌｌ２は、相異なるネットワークノードにより運用され、サービスされ又は管理されてもよい。例えば、ｃｅｌｌ１は第１のネットワークノード（ＮＷ１）により管理され、ｃｅｌｌ２は第２のネットワークノード（ＮＷ２）により管理される。他の例において、ｃｅｌｌ１及びｃｅｌｌ２は、同一のネットワークノードにより運用／サービス／管理されてもよい（例えば、ＮＷ１及びＮＷ２は同一のノードである）。
【００７０】
いくつかの実施形態において、ｃｅｌｌ１及びｃｅｌｌ２は、ＰＣｅｌｌ、ＳＣｅｌｌ及び／又はＰＳＣｅｌｌといったサービングセルであってもよい。ｃｅｌｌ１又はｃｅｌｌ２のいずれかがＰＣｅｌｌ、ＰＳＣｅｌｌ又はＳＣｅｌｌであってもよい。例えば、ここで開示される実施形態は、サービングセルの以下の非限定的な組合せのうちのいずれにも適用可能である：
・ｃｅｌｌ１及びｃｅｌｌ２はそれぞれＰＣｅｌｌ及びＳＣｅｌｌである；
・ｃｅｌｌ１及びｃｅｌｌ２はそれぞれＰＣｅｌｌ及びＰＳＣｅｌｌである；
・ｃｅｌｌ１及びｃｅｌｌ２はそれぞれＳＣｅｌｌ及びＰＣｅｌｌである；
・ｃｅｌｌ１及びｃｅｌｌ２はそれぞれＰＳＣｅｌｌ及びＰＳＣｅｌｌである；
・ｃｅｌｌ１及びｃｅｌｌ２はそれぞれＰＳＣｅｌｌ及びＳＣｅｌｌである；
・ｃｅｌｌ１及びｃｅｌｌ２はそれぞれＳＣｅｌｌ及びＰＳＣｅｌｌである。
【００７１】
同様に、Ｆ１及びＦ２は、ＰＣＣ、ＳＣＣ及び／又はＰＳＣＣのうちのいずれであってもよく、本実施形態は、ＰＣＣ、ＳＣＣ又はＰＳＣＣの任意の組合せに適用可能である。
【００７２】
１つの実施形態において、ｃｅｌｌ１及びｃｅｌｌ２において使用されるヌメロロジーは、“準静的に”構成されてもよい。
【００７３】
いくつかの実施形態では、２つ以上のヌメロロジーが例えば時間及び／又は周波数リソースにおいて多重化される形で使用され、動的に、準静的に若しくは静的に構成され、又は、第１セル及び第２セルのうちの少なくとも一方において構成される予め定義されるルール若しくはスケジューリングに基づいて構成される。
【００７４】
サポートされるＮＣＳ（例えば、ＳＣＳ）は、マルチキャリア動作のためにＵＥによりサポートされる少なくともＵＥのアーキテクチャに依存し得る。ＵＥのアーキテクチャは、動作信号のためのその送受信機回路（例えば、送信機及び／又は受信機）により特徴付けられ得る。例えば、ＵＥによりサポートされるＵＥのアーキテクチャに基づいて、対応するＮＣＳ情報をＵＥ内に記憶することができる。したがって、ＵＥは、ＵＥのメモリ内に記憶されている対応する情報を読み出すことにより、マルチキャリア動作のためにＵＥによりサポートされるヌメロロジーの１つ以上のセット（即ち、ＮＣＳ又はＳＣＳ）を判定し得る。例えば、ＵＥが２つ以上のキャリア（例えば、Ｆ１、Ｆ２）のマルチキャリア動作のために共通の無線受信機及び／又は共通の無線送信機を有する場合、ＵＥは、当該キャリア（Ｆ１及びＦ２）に基づいてマルチキャリア動作を行うために同一のヌメロロジーをサポート可能であり得る。第２の例において、ＵＥが２つ以上のキャリア（例えば、Ｆ１、Ｆ２）のマルチキャリア動作のために別個の（例えば、相異なる）無線受信機及び／又は別個の無線送信機を有する場合、ＵＥは、当該キャリア（Ｆ１及びＦ２）に基づいてマルチキャリア動作を行うために相異なるヌメロロジーをサポート可能であり得る。
【００７５】
ヌメロロジーコンビネーションセットは、ＵＥがマルチキャリア動作を行うためにサポートすることのできる、少なくとも２つのセル及び少なくとも１つのヌメロロジーからなる関数によって表され得る。そうした関数の例は、次の一般化された式（１）〜（４）により表され得る：
Ｓ１  ＝  ｆ（Ｎ１，Ｎ２，ｃｅｌｌ１，ｃｅｌｌ２）                    （１）
Ｓ２  ＝  ｆ１（Ｎ１，Ｎ１，ｃｅｌｌ１，ｃｅｌｌ２）                  （２）
Ｓｋ  ＝  ｆ２（Ｎ１，Ｎ２，…，Ｎｋ，ｃｅｌｌ１，ｃｅｌｌ２）        （３）
Ｓｍ  ＝  ｆ３（Ｎ１，Ｎ２，ｃｅｌｌ１，ｃｅｌｌ２，…，Ｃｅｌｌｍ）  （４）
【００７６】
ＵＥによりサポートされ得るＮＣＳ又はサブキャリアコンビネーションセット（ＳＣＳ）を記述するルールは、ＵＥ向けのルール及び／又は要件として予め定義されてもよい。例えば、ＵＥは、サポートされるＮＣＳ又はＳＣＳの識別子を他のノードへ指し示し又はシグナリングしてもよい。
【００７７】
ＵＥによりサポートされ得るヌメロロジーコンビネーションセット（ＮＣＳ）のいくつかの例が表１及び表２に示されている。ＵＥによりサポートされ得るサブキャリアコンビネーションセット（ＳＣＳ）の観点でのＮＣＳのいくつかの具体的な例が表３、表４及び表５に示されている。これら表は、ＮＣＳ又はＳＣＳのいくつかの例を含む。ＵＥは、自身のアーキテクチャ、無線回路、メモリ、処理ケイパビリティ、サポートされる周波数帯域などに依存して、１つ又は複数のこうしたＮＣＳ（例えば、ＳＣＳ）をサポートし得る。それらの例又はルールが以下にさらに詳述される。
【００７８】
表１では、各ＮＣＳにおいて、同一のセルのアップリンク及びダウンリンクにてＵＥにより同一のヌメロロジーを使用することができる。ＵＥは、表１における１つの若しくは複数のＮＣＳ、又は全てのＮＣＳをサポートし得る。１つの例において、同一のＵＥがＳ１のみをサポートしてもよく、一方で、他の例において、ＵＥがＳ１、Ｓ２及びＳ５をサポートしてもよい。セットＳ３において、ＵＥは、ｃｅｌｌ１及びｃｅｌｌ２上でＮ１及びＮ２の任意の組合せをサポートすることができ、それは例えば、ｃｅｌｌ１及びｃｅｌｌ２においてそれぞれ、Ｎ１及びＮ１、Ｎ２及びＮ２、又はＮ１及びＮ２、のいずれかである。
【００７９】
【表１】
2020506580.tif 000003
【００８０】
表２では、いくつかのＮＣＳにおいて、同一のセルのアップリンク及びダウンリンクにてＵＥにより相異なるヌメロロジーが使用され得る。しかし、いくつかのＮＣＳでは、同一のセルのアップリンク及びダウンリンクにてＵＥにより同一のヌメロロジーが使用され得る。例えば、ＵＥがＳ１０のみをサポートする場合、同一のセルのＤＬ及びＵＬにおいて相異なるヌメロロジーが使用され得る。しかし、ＵＥがＳ１３をサポートする場合、そのセルのアップリンク及びダウンリンクにおいて同一のヌメロロジーが使用され得る。
【００８１】
【表２】
2020506580.tif 000004
【００８２】
表３において、ＮＣＳがＳＣＳの例の観点で表されている。ＵＥは、ＳＣＳの任意の１つ以上をサポートし得る。各ＳＣＳにおいて、同一のセルのＵＬ及びＤＬにて同一のサブキャリア間隔が使用され得る。
【００８３】
【表３】
2020506580.tif 000005
【００８４】
表４の例は、マルチキャリア動作のために使用される、各セル上でサポートされるサブキャリア間隔（Ｓｐ）のレンジを表４のＳＣＳが含むことを除いて、表３と同様のＳＣＳを示している。例えば、Ｃ１１に対応するＵＥは、ｃｅｌｌ１上で１５ＫＨｚから６０ＫＨｚの間の任意のサブキャリア間隔と、ｃｅｌｌ２上で１５ＫＨｚから１２０ＫＨｚの間の任意のサブキャリア間隔とをサポートし得る。予め定義されるサブキャリア間隔（Ｓｐ）が１５、３０、６０及び１２０ＫＨｚである場合、Ｃ１１に対応するＵＥは、ｃｅｌｌ１及びｃｅｌｌ２に関与するマルチキャリア動作のために、ｃｅｌｌ１上で１５、３０及び６０ＫＨｚのうちの任意のＳｐと、ｃｅｌｌ２上で１５、３０、６０及び１２０ＫＨｚのうちの任意のＳｐとをサポートし得る。
【００８５】
【表４】
2020506580.tif 000006
【００８６】
表５の例は、マルチキャリア動作のためにＵＥによりサポートされるいくつかのセルのＵＬ及びＤＬにて相異なるサブキャリア間隔（Ｓｐ）がサポートされ得るＳＣＳを示している。
【００８７】
【表５】
2020506580.tif 000007
【００８８】
いくつかの実施形態において、具体的なＮＣＳの範囲内でサポートされるヌメロロジーは、マルチキャリア動作が関与するキャリア間の関係にさらに依存してもよい。そうしたＮＣＳは、やはり予め定義され得るルールの観点で表されてもよい。キャリア間の関係のいくつかの非限定的な例は、次の通りである。
・同一帯域に属するキャリア；
・同一帯域に属する、隣接するキャリア；
・同一帯域に属する、隣接しないキャリア；
・同一帯域において隣接しないキャリアの周波数の差；
・相異なる周波数帯域に属するキャリア；
・上記の任意の組合せ。例えば、Ｆ１及びＦ２が隣接し且つ同一帯域（Ｂ１）に属する一方でＦ３が他の帯域（Ｂ２）に属する。
【００８９】
キャリア間の関係に依存するＮＣＳを判定するためのルールのいくつかの非限定的な例は、次を含む：
・同一の帯域に属する場合に、全てのキャリア上で同一のヌメロロジーが使用される；
・同一の帯域に属し且つ隣接もしている場合に、全てのキャリア上で同一のヌメロロジーが使用される；
・相異なる帯域に属する場合に、同一のヌメロロジーか相異なるヌメロロジーかのいずれかがキャリア上で使用され得る；
・相異なる帯域に属するがキャリアの周波数がある周波数レンジの範囲内（例えば、２００ＭＨｚの範囲内）である場合に、同一のヌメロロジーがそれらキャリア上で使用され得る；
・相異なる帯域に属するがキャリアの周波数間の差がある閾値よりも大きい（例えば、２００ＭＨｚより大）場合に、相異なるヌメロロジーがそれらキャリア上で使用され得る；
・キャリアが隣接していないが同一の帯域に属する場合に、キャリア上で同一のヌメロロジーを使用し得るか又は相異なるヌメロロジーを使用し得るかは、キャリア間（又は周波数ブロック間）の周波数ギャップに依存し得る。例えば、周波数ギャップの長さがある閾値よりも大きくないという条件下で、同一のヌメロロジーが使用され得る。
【００９０】
ステップ２２０
ステップ２２０において、ＵＥは、前のステップで判定されたヌメロロジーコンビネーションセット（ＮＣＳ）の少なくとも１つのセット（例えば、Ｓ１、Ｃ１など）に基づいて、１つ以上の無線動作上のタスクを実行し得る。
【００９１】
いくつかの実施形態において、上記動作上のタスクは、判定されたヌメロロジーコンビネーションセットの結果又は情報を他のノードへ報告し又は送信すること、を含み得る。他のノードの例は、Ｄ２Ｄ動作が可能な他のＵＥ、サービングネットワークノードといったネットワークノード、コアネットワークノードなどである。ＵＥは、他のノードからのリクエストの受信を伴って又は伴わずに、その情報をシグナリングし又は送信し得る。上記情報は、ＵＥケイパビリティ情報の観点で又はＵＥケイパビリティ情報の一部として（例えば、ＵＥ無線アクセスケイパビリティ）送信されてもよい。上記情報は、ＮＣＳ内のヌメロロジーの値、ＵＥにより判定された予め定義されるＮＣＳの識別子、キャリア周波数に関する情報（例えば、ＥＡＲＦＣＮ、ＡＲＦＣＮなど）、及び／又は、判定されたＮＣＳに関連付けられる周波数帯域に関する情報（例えば、帯域識別子）などのうちの任意の１つ以上を含み得る。
【００９２】
いくつかの実施形態において、上記動作上のタスクは、マルチキャリア動作のための判定されたヌメロロジーコンビネーションセットに関連付けられる結果又は情報を使用すること（例えば、マルチキャリア動作のために構成されるキャリア上の信号の送信及び／又は受信のためにＮＣＳの範囲内のヌメロロジーを使用すること）、を含み得る。
【００９３】
いくつかの実施形態において、上記動作上のタスクは、マルチキャリア動作のために構成されるキャリア上の信号を送信し及び／又は受信するために送受信機構成を適応化すること、などを含み得る。
【００９４】
ステップ２３０
いくつかの実施形態において、本ステップは、ＵＥにとってオプション的である。ステップ２３０において、ＵＥは、判定された少なくとも１つのＮＣＳ（例えば、Ｓ１）に基づいて少なくともＦ１及びＦ２に関与するマルチキャリア動作を実行せよというリクエストをネットワークノードから受信し得る。ＵＥは、判定されたＮＣＳに関する情報をネットワークノードへ送信した後に、上記リクエストを受信し得る。上記リクエストは、さらに、Ｆ１及びＦ２上で動作すべきサービングセルのタイプを指し示し得る（例えば、Ｆ１及びＦ２上でそれぞれＰＣｅｌｌ及びＳＣｅｌｌ）。上記リクエストは、さらに、Ｆ１及びＦ２上の信号を動作させるためにＵＥにより使用されるべき固有のヌメロロジーを指し示し得る（例えば、Ｆ１及びＦ２上でそれぞれ１５ＫＨｚ及び３０ＫＨｚというサブキャリア間隔）。
【００９５】
ＵＥは、上記リクエストの受信に応じて、自身の送受信機を構成し、それぞれのキャリア／サービングセルについて指し示されたヌメロロジーを用いて、Ｆ１及びＦ２上でマルチキャリア動作（例えば、ＣＡ）を開始し得る。
【００９６】
図６は、無線アクセスノード１２０といったネットワークノードにおいて実行され得る方法を示すフローチャートである。当該ネットワークノードは、これまで説明したような、第１のネットワークノード（ＮＷ１）、第２のネットワークノード（ＮＷ２）、又は、他の無線ネットワークノード（例えば、ＮＷ１及び／若しくはＮＷ２のネイバ）、コアネットワークノードなどのうちの任意のものであり得る。その方法は、以下を含み得る：
【００９７】
ステップ３００（オプション）：マルチキャリア動作のためにＵＥによりサポートされるヌメロロジーのセットに関する情報を送信することをＵＥへリクエスト。
【００９８】
ステップ３１０：それぞれＵＥのマルチキャリア動作を行うために第１キャリア（Ｆ１）の第１セル（ｃｅｌｌ１）及び第２キャリア（Ｆ２）の第２セル（ｃｅｌｌ２）において信号を動作させるためにＵＥにより使用される第１ヌメロロジー（Ｎ１）及び第２ヌメロロジー（Ｎ２）という、少なくとも２つのヌメロロジーを含むヌメロロジーの少なくとも第１セット（Ｓ１）を取得。
【００９９】
ステップ３２０：例えば、Ｓ１に基づいてＵＥをマルチキャリア動作向けに構成し、取得した情報Ｓ１を他のノードへ送信し、ＵＥが関与するマルチキャリア動作のためにＳ１を使用し、送受信機構成を適応化し、又はスケジューリングを適応化するなど、１つ以上の動作上のタスクを実行するためにヌメロロジーの取得したセット（Ｓ１）を使用。
【０１００】
上記ステップのうちの１つ以上を同時に及び／又は異なる順序で実行し得ることが理解されるであろう。また、破線で示したステップはオプションであり、いくつかの実施形態では省略されてもよい。次に、これらステップについてより詳細に説明する。
【０１０１】
ステップ３００
いくつかの実施形態において、本ステップは、ネットワークノードにとってオプション的である。ステップ３００において、ネットワークノードは、マルチキャリア動作を行うためにＵＥによりサポートされる少なくとも１つのヌメロロジーコンビネーションセット（ＮＣＳ）に関連するＵＥのケイパビリティに関する情報をＵＥに送信させるためのリクエストを送信し得る。上記リクエストは、ＵＥによりサポートされる１つ以上のＮＣＳに関連付けられるキャリア周波数に関する情報をさらに含み得る。これは、ＵＥについて図５のステップ２００で説明したものと同様であり得る。
【０１０２】
ステップ３１０
ステップ３１０において、ネットワークノードは、第１キャリア周波数（Ｆ１）及び第２キャリア周波数（Ｆ２）という少なくとも２つのキャリア周波数に関与するマルチキャリア動作を行うためにＵＥにより使用され得る、ヌメロロジーの少なくとも１つのセット（例えば、Ｓ１）に関連する情報を取得し得る。
【０１０３】
図５のステップ２１０においてＵＥについて説明したようなＮＣＳ及び／又はＳＣＳの判定並びにＮＣＳ及び／又はＳＣＳに関連する情報に関連する実施形態が、ここで説明されるネットワークノードの実施形態にも適用可能であり得る。
【０１０４】
ネットワークノードは、以下の仕組みのうちの任意の１つ以上に基づいて、ヌメロロジーの少なくとも１つのセット（ＮＣＳ）を取得し得る：
・ＵＥの実施形態について上で説明したような予め定義される情報又はルール（例えば、表１〜５のような予め定義されるマッピングテーブル）。
・他のノードから、例えばＵＥから又は他のネットワークノードから受信される情報。
・例えば過去に使用された値、過去にある時間ピリオド内で最も高い頻度で使用された値など、履歴又は統計。
・例えばネットワークノードのメモリ内に記憶される最近の値など、最近使用された値。
【０１０５】
ステップ３２０
ステップ３２０において、ネットワークノードは、１つ以上の動作上のタスク又は手続を行うために、取得したＮＣＳセット（例えば、Ｓ１）を使用する。
【０１０６】
いくつかの実施形態において、動作上のタスクは、ＵＥに加えてネットワークノードによりサポートされる判定されたＮＣＳに基づいてマルチキャリア動作でＵＥを構成すること、を含み得る。例えば、ＵＥが表３で説明したようなＳＣＳ  Ｃ１及びＣ３をサポートし、但しネットワークノードがＣ３のみをサポートすると当該ネットワークノードが判定したものとする。このケースでは、ＵＥは、Ｃ３のみで構成される。
【０１０７】
いくつかの実施形態において、動作上のタスクは、取得した情報を他のノードへ、例えば他のネットワークノードへ送信すること、を含み得る。
【０１０８】
いくつかの実施形態において、動作上のタスクは、ＵＥが関与するマルチキャリア動作のためにＳ１を使用すること、例えば関連付けられるヌメロロジーを用いてｃｅｌｌ１及びｃｅｌｌ１上で信号を送信し及び／又は受信すること、を含み得る。
【０１０９】
いくつかの実施形態において、動作上のタスクは、ＵＥへ信号を送信し及び／又は受信するために送受信機構成を適応化すること、を含み得る。
【０１１０】
いくつかの実施形態において、動作上のタスクは、判定されたヌメロロジーに基づいて、ＵＥのサービングセル上でＵＬ及び／又はＤＬにおけるデータのスケジューリングを適応化すること、を含み得る。
【０１１１】
いくつかの実施形態において、動作上のタスクは、取得したＮＣＳに基づいて、ＵＥのサービングセル上でＵＥにより実行される測定の測定構成又は測定性能を適応化すること、を含み得る。例えば、ある測定回数にわたって測定を行うようにＵＥが構成され、その構成が少なくとも２つのサービングセルについて構成されたヌメロロジー又はＮＣＳに対して適応される。
【０１１２】
いくつかの実施形態において、動作上のタスクは、ＵＥがマルチキャリア動作の期間中に同一のセルについて１つよりも多くのヌメロロジーをサポートする場合に、ｃｅｌｌ１及び／又はｃｅｌｌ２のヌメロロジーを適応化し又は変更すること、を含み得る。
【０１１３】
図７は、マルチキャリア動作を実行するためのヌメロロジーのセットを判定するための方法を示すフローチャートである。当該方法は、ここで説明したようなＵＥ１１０といったワイヤレスデバイスにより実行され得る。その方法は、以下を含み得る：
【０１１４】
ステップ４００：マルチキャリア動作を実行するためにワイヤレスデバイスによりサポートされるヌメロロジーのセットを判定。上記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む。
【０１１５】
上記ヌメロロジーは、サブキャリア間隔、シンボル期間、サイクリックプレフィクス長、時間スロット期間、フレーム期間、サブフレーム期間、送信時間インターバル期間、物理チャネル別サブキャリア数、及び／又は帯域幅内物理チャネル数といった、信号特性を定義する属性を含み得る。
【０１１６】
ステップ４１０：第１キャリアと第２キャリアとの間の関係を判定。
【０１１７】
いくつかの実施形態において、マルチキャリア動作のためにワイヤレスデバイスにより使用されるべきヌメロロジーは、第１キャリア周波数と第２キャリア周波数との間の関係に依存し得る。第１キャリアと第２キャリアとの間の関係の例は、次を含み得る：第１キャリア及び第２キャリアが同一の周波数帯域に属する；第１キャリア及び第２キャリアが相異なる周波数帯域に属する；第１キャリアの周波数と第２キャリアの周波数との間の差が所与の閾値よりも大きく、又は所与の閾値よりも小さい；第１のキャリア及び第２のキャリアが隣接する；第１のキャリア及び第２のキャリアが隣接しない；及び／又は、これら関係の任意の組合せ。
【０１１８】
ステップ４２０：第１キャリアと第２キャリアとの間の関係の判定に応じて、第１セル内の第１キャリア上の信号を動作させるための第１ヌメロロジー及び第２セル内の第２キャリア上の信号を動作させるための第２ヌメロロジーを使用。
【０１１９】
いくつかの実施形態において、マルチキャリア動作のためにワイヤレスデバイスにより使用されるべきヌメロロジーは、第１キャリアと第２キャリアとの間の判定された関係に従って選択される。例えば、第１キャリア及び第２キャリアが相異なる周波数帯域に属するという判定に従って、第１ヌメロロジー及び第２ヌメロロジーについて異なるヌメロロジーが使用され得る。他の例において、第１キャリア及び第２キャリアが同一の周波数帯域に属するという判定に従って、第１ヌメロロジー及び第２ヌメロロジーについて同一のヌメロロジーが使用され得る。いくつかの実施形態において、第１ヌメロロジー及び第２ヌメロロジーは、さらに、第１キャリアの周波数と第２キャリアの周波数との間の差を判定することに依存し得る（例えば、閾値よりも大きいか又は小さいか、互いにあるレンジ内にあるか、隣接周波数か非隣接周波数か、など）。
【０１２０】
いくつかの実施形態において、第１キャリアのダウンリンクチャネル及びアップリンクチャネル上の信号を動作させるために、ワイヤレスデバイスは、同一のヌメロロジーか又は相異なるヌメロロジーを使用し得る。同様に、いくつかの実施形態において、第２キャリアのダウンリンクチャネル及びアップリンクチャネル上の信号を動作させるために、ワイヤレスデバイスは、同一のヌメロロジーか又は相異なるヌメロロジーを使用し得る。
【０１２１】
第１ヌメロロジー及び第２ヌメロロジーについて同一のヌメロロジーを使用する場合に、ワイヤレスデバイスは、共通の送信機及び／又は共通の受信機を使用し得る。いくつかの実施形態において、第１ヌメロロジー及び第２ヌメロロジーについて相異なるヌメロロジーを使用する際に、ワイヤレスデバイスは、異なる送信機及び／又は異なる受信機を使用し得る。
【０１２２】
いくつかの実施形態において、図７の方法は、ネットワークノードからマルチキャリア動作を実行せよというリクエストを受信すること、をさらに含み得る。いくつかの実施形態において、図７の方法は、さらに、マルチキャリア動作を実行するためにワイヤレスデバイスによりサポートされるヌメロロジーのセットに関連付けられる情報をネットワークノードへ送信すること、を含み得る。
【０１２３】
上記ステップのうちの１つ以上を同時に及び／又は異なる順序で実行し得ることが理解されるであろう。また、破線で示したステップはオプションであり、いくつかの実施形態では省略されてもよい。
【０１２４】
図８は、ある実施形態に係る一例としてのワイヤレスデバイスであるＵＥ１１０のブロック図である。ＵＥ１１０は、送受信機５１０、プロセッサ５２０及びメモリ５３０を含む。いくつかの実施形態において、送受信機５１０は、（例えば、送信機（Ｔｘ）、受信機（Ｒｘ）及びアンテナを介する）無線アクセスノード１２０へのワイヤレス信号の送信及び無線アクセスノード１２０からのワイヤレス信号の受信を促進する。プロセッサ５２０は、ＵＥにより提供されるものとして上で説明した機能性のうちのいくつか又は全てを提供するための命令群を実行し、メモリ５３０は、プロセッサ５２０により実行される当該命令群を記憶する。いくつかの実施形態において、プロセッサ５２０及びメモリ５３０は、処理回路を形成する。
【０１２５】
プロセッサ５２０は、上述したＵＥ１１０の機能などの、ワイヤレスデバイスの説明した機能のうちのいくつか又は全てを実行するために命令群を実行し及びデータを操作するための任意の適したハードウェアの組合せを含み得る。いくつかの実施形態において、プロセッサ５２０は、例えば、１つ以上のコンピュータ、１つ以上のＣＰＵ（central  processing  unit）、１つ以上のマイクロプロセッサ、１つ以上のＡＳＩＣ（application  specific  integrated  circuit）、１つ以上のＦＰＧＡ（field  programmable  gate  array）及び／又は他のロジックを含んでもよい。
【０１２６】
メモリ５３０は、概して、コンピュータプログラム、ソフトウェア、ロジック、ルール、アルゴリズム、コード、テーブルなどのうちの１つ以上を含むアプリケーション、及び／又はプロセッサ５２０により実行可能な他の命令群、といった命令群を記憶するように動作可能である。メモリ５３０の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は、ＵＥ１１０のプロセッサ５２０により使用され得る情報、データ及び／若しくは命令群を記憶する任意の他の揮発性若しくは不揮発性の非一時的なコンピュータ読取可能な及び／若しくはコンピュータ実行可能なメモリデバイスを含む。
【０１２７】
ＵＥ１１０の他の実施形態は、（上述した解決策をサポートするために必要とされる任意の機能性を含む）上述した機能性のいずれか及び／又は何らかの追加的な機能性を含むワイヤレスデバイスの機能性の何らかの観点を提供することに責任を有し得る、図８に示したもの以外の追加的なコンポーネントを含んでもよい。単なる１つ例として、ＵＥ１１０は、入力デバイス及び回路、出力デバイス、並びに１つ以上の同期ユニット又は回路を含んでもよく  これらはプロセッサ５２０の一部であってもよい。入力デバイスは、ＵＥ１１０へデータを入力するための仕組みを含む。例えば、入力デバイスは、マイクロフォン、入力エレメント、ディスプレイなどといった入力の仕組みを含んでもよい。出力デバイスは、データを音声、映像、及び／又はハードコピーのフォーマットで出力するための仕組みを含んでもよい。例えば、出力デバイスは、スピーカ、ディスプレイなどを含んでもよい。
【０１２８】
図９は、ある実施形態に係る一例としてのネットワークノード１２０のブロック図である。ネットワークノード１２０は、送受信機６１０、プロセッサ６２０、メモリ６３０及びネットワークインタフェース６４０のうちの１つ以上を含み得る。いくつかの実施形態において、送受信機６１０は、（例えば、送信機（Ｔｘ）、受信機（Ｒｘ）及びアンテナを介する）ＵＥ１１０といったワイヤレスデバイスへのワイヤレス信号の送信及びワイヤレスデバイスからのワイヤレス信号の受信を促進する。プロセッサ６２０は、ネットワークノード１２０により提供されるものとして上で説明した機能性のうちのいくつか又は全てを提供するための命令群を実行し、メモリ６３０は、プロセッサ６２０により実行される当該命令群を記憶する。いくつかの実施形態において、プロセッサ６２０及びメモリ６３０は、処理回路を形成する。ネットワークインタフェース６４０は、ゲートウェイ、スイッチ、ルータ、インターネット、ＰＳＴＮ（Public  Switched  Telephone  Network）、コアネットワークノード、又は無線ネットワークコントローラなどといったバックエンドのネットワークコンポーネントへ信号を通信し得る。
【０１２９】
プロセッサ６２０は、上述したもののような、ネットワークノード１２０の説明した機能のうちのいくつか又は全てを実行するために命令群を実行し及びデータを操作するための任意の適したハードウェアの組合せを含み得る。いくつかの実施形態において、プロセッサ６２０は、例えば、１つ以上のコンピュータ、１つ以上のＣＰＵ（central  processing  unit）、１つ以上のマイクロプロセッサ、１つ以上のＡＳＩＣ（application  specific  integrated  circuit）、１つ以上のＦＰＧＡ（field  programmable  gate  array）及び／又は他のロジックを含んでもよい。
【０１３０】
メモリ６３０は、概して、コンピュータプログラム、ソフトウェア、ロジック、ルール、アルゴリズム、コード、テーブルなどのうちの１つ以上を含むアプリケーション、及び／又はプロセッサ６２０により実行可能な他の命令群、といった命令群を記憶するように動作可能である。メモリ６３０の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は情報を記憶する任意の他の揮発性若しくは不揮発性の非一時的なコンピュータ読取可能な及び／若しくはコンピュータ実行可能なメモリデバイスを含む。
【０１３１】
いくつかの実施形態において、ネットワークインタフェース６４０は、プロセッサ６２０へ通信可能に連結されており、ネットワークノード１２０向けの入力を受信し、ネットワークノード１２０からの出力を送信し、当該入力、出力若しくは双方の適した処理を実行し、他のデバイスへ通信し、又はそれらの任意の組合せを行うように動作可能な、任意の適したデバイスへの言及であってよい。ネットワークインタフェース６４０は、ネットワークを通じて通信するための、プロトコル変換及びデータ処理のケイパビリティを含む、適切なハードウェア（例えば、ポート、モデム、ネットワークインタフェースカードなど）及びソフトウェアを含み得る。
【０１３２】
ネットワークノード１２０の他の実施形態は、（上述した解決策をサポートするために必要とされる任意の機能性を含む）上述した機能性のいずれか及び／又は何らかの追加的な機能性を含むネットワークノードの機能性の何らかの観点を提供することに責任を有し得る、図９に示したもの以外の追加的なコンポーネントを含んでもよい。多様な様々なタイプのネットワークノードが、同一の物理的なハードウェアを有するコンポーネントを備えてもよいが、相異なる無線アクセス技術を（例えば、プログラミングを介して）サポートするように構成されてもよく、又は部分的に若しくは全体的に異なる物理的なコンポーネントを表してもよい。
【０１３３】
図８及び図９に関して説明したものと同様のプロセッサ、インタフェース及びメモリが、（コアネットワークノード１３０といった）他のネットワークノード内に含まれてもよい。他のネットワークノードは、オプションとして、（図８及び図９において説明した送受信機のような）ワイヤレスインタフェースを含んでも含まなくてもよい。
【０１３４】
いくつかの実施形態において、ＵＥ１１０といったワイヤレスデバイスは、上述したワイヤレスデバイスの機能性を実装するように構成される一連のモジュールを備え得る。図１０を参照すると、いくつかの実施形態において、ＵＥ１１０は、マルチキャリア動作のためにＵＥによりサポートされるヌメロロジーに係る情報を送信せよというリクエストを受信するように構成される受信モジュール７１０と、少なくとも第１キャリアの第１セル及び第２キャリアの第２セルにおけるマルチキャリア動作を実行するためのヌメロロジーのセットを判定するように構成される判定モジュールと、判定されるヌメロロジーのセットを用いて、動作上のタスクを実行するように構成される実行モジュールと、を備え得る。
【０１３５】
例えば図８に示したＵＥ１１０のプロセッサ、メモリ及び送受信機といったハードウェア及びソフトウェアの組合せとして多様なモジュールが実装されてもよいことが理解されるであろう。いくつかの実施形態は、追加的な及び／又はオプションとしての機能性ををサポートするための追加的なモジュールを含んでもよい。
【０１３６】
いくつかの実施形態において、例えば無線アクセスノードであり得るネットワークノード１２０は、上述したネットワークノードの機能性を実装するように構成される一連のモジュールを備え得る。図１１を参照すると、いくつかの実施形態において、ネットワークノード１２０は、ワイヤレスデバイスによりサポートされるヌメロロジーに係る情報を送信することをワイヤレスデバイスにリクエストするように構成されるリクエストモジュール７４０と、少なくとも第１キャリアの第１セル及び第２キャリアの第２セルにおけるマルチキャリア動作を実行するためにワイヤレスデバイスによりサポートされるヌメロロジーのセットを取得するように構成される取得モジュール７５０と、取得されるヌメロロジーのセットを用いて、動作上のタスクを実行するように構成される実行モジュール７６０と、を備え得る。
【０１３７】
例えば図９に示したネットワークノード１２０のプロセッサ、メモリ及び送受信機といったハードウェア及びソフトウェアの組合せとして多様なモジュールが実装されてもよいことが理解されるであろう。いくつかの実施形態は、追加的な及び／又はオプションとしての機能性ををサポートするための追加的なモジュールを含んでもよい。
【０１３８】
いくつかの実施形態は、（媒体上に具現化されたコンピュータ読取可能なプログラムコードを有する、コンピュータ読取可能な媒体、プロセッサ読取可能な媒体、又はコンピュータ使用可能な媒体としても言及される）マシン読取可能な媒体内に記憶されるソフトウェアプロダクトとして表現されてもよい。マシン読取可能な媒体は、ディスケット、ＣＤ−ＲＯＭ（compact  disk  read  only  memory）、ＤＶＤ−ＲＯＭ（digital  versatile  disc  read  only  memory）メモリデバイス（揮発性若しくは不揮発性）、又は類似の記憶メカニズムを含む、磁気的な、光学的な、又は電気的な記憶媒体を含む、任意の適した有形の媒体であってよい。マシン読取可能な媒体は、命令、コードシーケンス、構成情報又は他のデータの多様なセットを収容してよく、それらは、実行時に１つ以上の実施形態に係る方法のステップ群を処理回路（例えば、プロセッサ）に実行させる。当業者は、説明した実施形態を実装するために必要な他の命令及び動作もまたマシン読取可能な媒体に記憶されてもよいことを理解するであろう。マシン読取可能な媒体から実行されるソフトウェアは、説明したタスクを実行するために回路とインタフェースし得る。
【０１３９】
上述した実施形態は、例に過ぎないものと意図される。本説明のスコープから逸脱することなく、具体的な実施形態に対し、当業者により変形、修正及び変更がなされてもよい。
【０１４０】
用語集
本説明は、以下の略語のうちの１つ以上を含んでいるかもしれない。
３ＧＰＰ            第三世代パートナーシッププロジェクト
ＡＢＳ              オールモーストブランクサブフレーム
ＡＰ                アクセスポイント
ＡＲＱ              自動再送要求
ＢＣＨ              ブロードキャストチャネル
ＢＳ                基地局
ＢＳＣ              基地局コントローラ
ＢＴＳ              基地送受信局
ＣＡ                キャリアアグリゲーション
ＣＣ                コンポーネントキャリア
ＣＣＣＨ  ＳＤＵ    共通制御チャネルＳＤＵ
ＣＧ                セルグループ
ＣＧＩ              セルグローバル識別子
ＣＰ                サイクリックプレフィクス
ＣＰＩＣＨ  Ｅｃ／Ｎｏ
チップ別ＣＰＩＣＨ受信エネルギーを電力密度で除算した商
ＣＰＩＣＨ          共通パイロットチャネル
ＣＱＩ              チャネル品質情報
Ｃ−ＲＮＴＩ        セルＲＮＴＩ
ＣＲＳ              セル固有リファレンス信号
ＣＳＧ              クローズド加入者グループ
ＣＳＩ              チャネル状態情報
ＤＡＳ              分散アンテナシステム
ＤＣ                デュアルコネクティビティ
ＤＣＣＨ            専用制御チャネル
ＤＣＩ              ダウンリンク制御情報
ＤＬ                ダウンリンク
ＤＬ−ＳＣＨ        ダウンリンク共有チャネル
ＤＲＸ              不連続受信
ＤＴＣＨ            専用トラフィックチャネル
ＤＴＸ              不連続送信
ＥＡＲＦＣＮ        進化型絶対無線周波数チャネル番号
ＥＣＣＥ            拡張制御チャネルエレメント
ＥＣＧＩ            進化型ＣＧＩ
Ｅ−ＣＩＤ          拡張セルＩＤ（測位方法）
ｅＮＢ              Ｅ−ＵＴＲＡＮノードＢ又は進化型ノードＢ
ｅＰＤＣＣＨ        拡張物理ダウンリンク制御チャネル
Ｅ−ＳＭＬＣ        進化型サービング・モバイル・ロケーション・センタ
Ｅ−ＵＴＲＡ        進化型ＵＴＲＡ
Ｅ−ＵＴＲＡＮ      進化型ＵＴＲＡＮ
ＦＤＭ              周波数分割多重
ＧＥＲＡＮ          ＧＳＭ  ＥＤＧＥ無線アクセスネットワーク
ＧＳＭ              グローバル・システム・フォー・モバイル・コミュニケーション
ＨＡＲＱ            ハイブリッド自動再送要求
ＨＯ                ハンドオーバ
ＨＲＰＤ            高速パケットデータ
ＨＳＰＡ            高速パケットアクセス
ＬＴＥ              ロング・ターム・エボリューション
Ｍ２Ｍ              マシンツーマシン
ＭＡＣ              メディアアクセス制御
ＭＢＭＳ            マルチメディア・ブロードキャスト・マルチキャスト・サービス
ＭＣＧ              マスタセルグループ
ＭＤＴ              ドライブテスト最小化
ＭｅＮＢ            マスタｅＮｏｄｅＢ
ＭＭＥ              モビリティ管理エンティティ
ＭＰＤＣＣＨ        ＭＴＣ物理ダウンリンク制御チャネル
ＭＳＣ              モバイルスイッチングセンタ
ＭＳＲ              マルチ標準無線
ＭＴＣ              マシンタイプ通信
ＮＰＢＣＨ          狭帯域物理ブロードキャストチャネル
ＮＰＤＣＣＨ        狭帯域物理ダウンリンク制御チャネル
ＮＲ                新無線
Ｏ＆Ｍ              オペレーション及びメンテナンス
ＯＦＤＭ            直交周波数分割多重
ＯＦＤＭＡ          直交周波数分割多元接続
ＯＳＳ              オペレーション・サポート・システム
ＰＢＣＨ            物理ブロードキャストチャネル
ＰＣＣ              プライマリコンポーネントキャリア
Ｐ−ＣＣＰＣＨ      プライマリ共通制御物理チャネル
ＰＣｅｌｌ          プライマリセル
ＰＣＦＩＣＨ        物理制御フォーマットインジケータチャネル
ＰＣＧ              プライマリセルグループ
ＰＣＨ              ページングチャネル
ＰＣＩ              物理セルアイデンティティ
ＰＤＣＣＨ          物理ダウンリンク制御チャネル
ＰＤＳＣＨ          物理ダウンリンク共有チャネル
ＰＤＵ              プロトコルデータユニット
ＰＧＷ              パケットゲートウェイ
ＰＨＩＣＨ          物理ＨＡＲＱインジケーションチャネル
ＰＬＭＮ            公衆地上移動体ネットワーク
ＰＭＩ              プリコーダ行列インジケータ
ＰＲＡＣＨ          物理ランダムアクセスチャネル
ＰｒｏＳｅ          近接性サービス
ＰＲＳ              測位リファレンス信号
ＰＳＣ              プライマリサービングセル
ＰＳＣｅｌｌ        プライマリＳＣｅｌｌ
ＰＳＳ              プライマリ同期信号
ＰＳＳＳ            プライマリサイドリンク同期信号
ＰＵＣＣＨ          物理アップリンク制御チャネル
ＰＵＳＣＨ          物理アップリンク共有チャネル
ＱＡＭ              直交振幅変調
ＲＡＣＨ            ランダムアクセスチャネル
ＲＡＴ              無線アクセス技術
ＲＢ                リソースブロック
ＲＦ                無線周波数
ＲＬＭ              無線リンク管理
ＲＮＣ              無線ネットワークコントローラ
ＲＮＴＩ            無線ネットワーク一時識別子
ＲＲＣ              無線リソース制御
ＲＲＨ              リモート無線ヘッド
ＲＲＭ              無線リソース管理
ＲＲＵ              リモート無線ユニット
ＲＳＣＰ            受信信号符号電力
ＲＳＲＰ            リファレンス信号受信電力
ＲＳＲＱ            リファレンス信号受信品質
ＲＳＳＩ            受信信号強度インジケータ
ＲＳＴＤ            リファレンス信号時間差
ＳＣＣ              セカンダリコンポーネントキャリア
ＳＣｅｌｌ          セカンダリセル
ＳＣＧ              セカンダリセルグループ
ＳＣＨ              同期チャネル
ＳＤＵ              サービスデータユニット
ＳｅＮＢ            セカンダリｅＮｏｄｅＢ
ＳＦＮ              システムフレーム番号
ＳＧＷ              サービングゲートウェイ
ＳＩ                システム情報
ＳＩＢ              システム情報ブロック
ＳＩＮＲ            信号対干渉及び雑音比
ＳＮＲ              信号対雑音比
ＳＯＮ              自己組織化ネットワーク
ＳＲＳ              サウンディングリファレンス信号
ＳＳＣ              セカンダリサービングセル
ＳＳＳ              セカンダリ同期信号
ＳＳＳＳ            セカンダリサイドリンク同期信号
ＴＡ                タイミングアドバンス
ＴＡＧ              タイミングアドバンスグループ
ＴＴＩ              送信時間インターバル
Ｔｘ                送信機
ＵＥ                ユーザ機器
ＵＬ                アップリンク
ＵＭＴＳ            ユニバーサル・モバイル・テレコミュニケーション・システム
ＵＴＲＡ            ユニバーサル地上無線アクセス
ＵＴＲＡＮ          ユニバーサル地上無線アクセスネットワーク
ＷＬＡＮ            ワイヤレスローカルエリアネットワーク
【図１】
2020506580.tif 000008
【図２】
2020506580.tif 000009
【図３】
2020506580.tif 000010
【図４】
2020506580.tif 000011
【図５】
2020506580.tif 000012
【図６】
2020506580.tif 000013
【図７】
2020506580.tif 000014
【図８】
2020506580.tif 000015
【図９】
2020506580.tif 000016
【図１０】
2020506580.tif 000017
【図１１】
2020506580.tif 000018
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
ワイヤレスデバイスにより実行される方法であって、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリア及び前記第２キャリアが相異なる周波数帯域に属するという判定に応じて、前記第１ヌメロロジー及び前記第２ヌメロロジーを相異なるヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を含む方法。
【請求項２】
請求項１の方法であって、前記相異なるヌメロロジーとしての前記第１ヌメロロジー及び前記第２ヌメロロジーの前記使用は、前記第１キャリア及び前記第２キャリアが前記相異なる周波数帯域に属し、かつ前記第１キャリアの周波数と前記第２キャリアの周波数との間の差が閾値よりも大きいという判定に応じて行われる、方法。
【請求項３】
請求項２の方法であって、
前記第１キャリア及び前記第２キャリアが前記相異なる周波数帯域に属し、かつ前記第１キャリアの前記周波数と前記第２キャリアの前記周波数との間の前記差が前記閾値以下であるという判定に応じて、前記第１ヌメロロジー及び前記第２ヌメロロジーを同一のヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用すること、
をさらに含む、方法。
【請求項４】
請求項１〜３のいずれか１項の方法であって、前記第１ヌメロロジー及び前記第２ヌメロロジーについて前記相異なるヌメロロジーを使用する場合に、異なる送信機及び異なる受信機のうちの少なくとも一方を使用すること、をさらに含む、方法。
【請求項５】
ワイヤレスデバイスにより実行される方法であって、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリア及び前記第２キャリアが同一の周波数帯域に属するという判定に応じて、前記第１ヌメロロジー及び前記第２ヌメロロジーを同一のヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を含む方法。
【請求項６】
請求項５の方法であって、前記同一のヌメロロジーとしての前記第１ヌメロロジー及び前記第２ヌメロロジーの前記使用は、前記第１キャリア及び前記第２キャリアが前記同一の周波数帯域に属し、前記第１キャリアの周波数及び前記第２キャリアの周波数が隣接しておらず、かつ前記第１キャリアの周波数と前記第２キャリアの周波数との間のギャップが所与の閾値以下であるという判定に応じて行われる、方法。
【請求項７】
請求項６の方法であって、
前記第１キャリア及び前記第２キャリアが前記同一の周波数帯域に属し、前記第１キャリアの前記周波数及び前記第２キャリアの前記周波数が隣接しておらず、かつ前記第１キャリアの前記周波数と前記第２キャリアの前記周波数との間の前記ギャップが前記所与の閾値よりも大きいという判定に応じて、前記第１ヌメロロジー及び前記第２ヌメロロジーを相異なるヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用すること、
をさらに含む、方法。
【請求項８】
請求項５〜７のいずれか１項の方法であって、前記第１ヌメロロジー及び前記第２ヌメロロジーについて前記同一のヌメロロジーを使用する場合に、共通の送信機及び共通の受信機のうちの少なくとも一方を使用すること、をさらに含む、方法。
【請求項９】
ワイヤレスデバイスにより実行される方法であって、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリアの周波数と前記第２キャリアの周波数との間の差が閾値よりも大きいという判定に応じて、前記第１ヌメロロジー及び前記第２ヌメロロジーを相異なるヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
前記第１キャリアの前記周波数と前記第２キャリアの前記周波数との間の前記差が前記閾値以下であるという判定に応じて、前記第１ヌメロロジー及び前記第２ヌメロロジーを同一のヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を含む方法。
【請求項１０】
請求項１〜９のいずれか１項の方法であって、前記第１ヌメロロジー及び前記第２ヌメロロジーは、信号特性を定義する１つ以上の属性を含む、方法。
【請求項１１】
請求項１０の方法であって、前記１つ以上の属性は、サブキャリア間隔、シンボル期間、サイクリックプレフィクス長、時間スロット期間、フレーム期間、サブフレーム期間、送信時間インターバル期間、物理チャネル別サブキャリア数、及び帯域幅内物理チャネル数、のうちの少なくとも１つを含む、方法。
【請求項１２】
請求項１〜１１のいずれか１項の方法であって、前記第１キャリアのダウンリンクチャネル及びアップリンクチャネル上の信号を動作させるために相異なるヌメロロジーを使用すること、をさらに含む、方法。
【請求項１３】
請求項１〜１２のいずれか１項の方法であって、ネットワークノードからマルチキャリア動作を実行せよというリクエストを受信すること、をさらに含む、方法。
【請求項１４】
請求項１〜１３のいずれか１項の方法であって、マルチキャリア動作を実行するために前記ワイヤレスデバイスによりサポートされる前記ヌメロロジーのセットに関連付けられる情報をネットワークノードへ送信すること、をさらに含む、方法。
【請求項１５】
プロセッサ及びメモリを含む回路を備えるワイヤレスデバイスであって、前記メモリは、前記プロセッサにより実行可能な命令群を収容し、それにより前記ワイヤレスデバイスは、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリア及び前記第２キャリアが相異なる周波数帯域に属するという判定に応じて、前記第１ヌメロロジー及び前記第２ヌメロロジーを相異なるヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を行うように動作可能である、ワイヤレスデバイス。
【請求項１６】
プロセッサ及びメモリを含む回路を備えるワイヤレスデバイスであって、前記メモリは、前記プロセッサにより実行可能な命令群を収容し、それにより前記ワイヤレスデバイスは、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリア及び前記第２キャリアが同一の周波数帯域に属するという判定に応じて、前記第１ヌメロロジー及び前記第２ヌメロロジーを同一のヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を行うように動作可能である、ワイヤレスデバイス。
【請求項１７】
プロセッサ及びメモリを含む回路を備えるワイヤレスデバイスであって、前記メモリは、前記プロセッサにより実行可能な命令群を収容し、それにより前記ワイヤレスデバイスは、
マルチキャリア動作を実行するために前記ワイヤレスデバイスによりサポートされるヌメロロジーのセットを判定することであって、前記ヌメロロジーのセットは、少なくとも、第１セル内の第１キャリア上の信号を動作させるための第１ヌメロロジー、及び第２セル内の第２キャリア上の信号を動作させるための第２ヌメロロジーを含む、前記判定することと、
前記第１キャリアの周波数と前記第２キャリアの周波数との間の差が閾値よりも大きいという判定に応じて、前記第１ヌメロロジー及び前記第２ヌメロロジーを相異なるヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
前記第１キャリアの前記周波数と前記第２キャリアの前記周波数との間の前記差が前記閾値以下であるという判定に応じて、前記第１ヌメロロジー及び前記第２ヌメロロジーを同一のヌメロロジーとして、前記第１セル内の前記第１キャリア上の前記信号を動作させるために前記第１ヌメロロジーを、前記第２セル内の前記第２キャリア上の前記信号を動作させるために前記第２ヌメロロジーを使用することと、
を行うように動作可能である、ワイヤレスデバイス。
【請求項１８】
ワイヤレスデバイスの処理回路により実行された場合に、前記ワイヤレスデバイスに、請求項１〜１４のいずれか１項の方法を行わせる、コンピュータプログラム。
【手続補正２】
【補正対象書類名】明細書
【補正対象項目名】０１０８
【補正方法】変更
【補正の内容】
【０１０８】
いくつかの実施形態において、動作上のタスクは、ＵＥが関与するマルチキャリア動作のためにＳ１を使用すること、例えば関連付けられるヌメロロジーを用いてｃｅｌｌ１及びｃｅｌｌ２上で信号を送信し及び／又は受信すること、を含み得る。
【手続補正３】
【補正対象書類名】明細書
【補正対象項目名】０１３４
【補正方法】変更
【補正の内容】
【０１３４】
いくつかの実施形態において、ＵＥ１１０といったワイヤレスデバイスは、上述したワイヤレスデバイスの機能性を実装するように構成される一連のモジュールを備え得る。図１０を参照すると、いくつかの実施形態において、ＵＥ１１０は、マルチキャリア動作のためにＵＥによりサポートされるヌメロロジーに係る情報を送信せよというリクエストを受信するように構成される受信モジュール７１０と、少なくとも第１キャリアの第１セル及び第２キャリアの第２セルにおけるマルチキャリア動作を実行するためのヌメロロジーのセットを判定するように構成される判定モジュール７２０と、判定されるヌメロロジーのセットを用いて、動作上のタスクを実行するように構成される実行モジュール７３０と、を備え得る。
【国際調査報告】
2020506580.tif 000019
2020506580.tif 000020